【事件の表示】
　特願２０１６−　９９５３７「積層セラミックコンデンサ」拒絶査定不服審判事件〔平成２９年　１月２６日出願公開、特開２０１７−　２２３６５、請求項の数（２）〕について、次のとおり審決する。
【結　論】
　原査定を取り消す。
　本願の発明は、特許すべきものとする。
【理　由】
第１　手続の経緯
　
　本願は、平成２８年５月１８日（優先権主張　平成２７年７月１４日　日本国（ＪＰ））の出願であって、令和１年１０月４日付け拒絶理由通知に対する応答時、同年１２月３日に手続補正がなされたが、令和２年４月２日付けで拒絶査定（原査定）がなされ、これに対して、同年７月１４日に拒絶査定不服審判の請求がなされたものである。
第２　原査定の概要
　
　原査定（令和２年４月２日付けで拒絶査定）の概要は以下のとおりである。
　この出願の請求項１及び２に係る発明は、その出願前に日本国内において頒布された下記の引用文献１に記載された発明に基いて、その出願前にその発明の属する技術の分野における通常の知識を有する者が容易に発明をすることができたものであるから、特許法第２９条第２項の規定により特許を受けることができない。
　この出願の請求項１及び２に係る発明は、その出願前に日本国内において頒布された下記の引用文献２に記載された発明、及び引用文献３ないし５に記載された技術事項に基いて、その出願前にその発明の属する技術の分野における通常の知識を有する者が容易に発明をすることができたものであるから、特許法第２９条第２項の規定により特許を受けることができない。
　　　　　　　　　　　　　　　記
　１．特開平７−２０１６３６号公報
　２．特開２０１４−２０３８６２号公報
　３．特開２０１２−９８１３号公報（周知技術を示す文献）
　４．特開平１１−２６０１４６号公報（周知技術を示す文献）
　５．特開２００９−１７０７０６号公報（周知技術を示す文献）
第３　本願発明
　本願の請求項１及び２に係る発明（以下、それぞれ「本願発明１」及び「本願発明２」という。）は、令和１年１２月３日の手続補正により補正された特許請求の範囲の請求項１及び２に記載された事項により特定される、次のとおりの発明である。
「【請求項１】
　内部電極と誘電体層が積層された積層体と、前記内部電極と接続するように前記積層体の表面に形成された外部電極とを備えた積層セラミックコンデンサにおいて、
　前記外部電極は、前記積層体の主面に形成され、Ｎｉを含む第１の外部電極層と、
　前記積層体の前記内部電極が引き出された端面と、前記第１の外部電極層の前記端面側の先端を含む領域とを覆い、前記第１の外部電極層と接合するとともに、前記内部電極と導通するように形成された、ガラス成分とＣｕとを含む第２の外部電極層と
　を備え、
　前記第１の外部電極層の、前記積層体の前記主面上に位置する領域であって、前記主面と前記端面によって形成される稜線付近の領域において、前記第１の外部電極層と前記第２の外部電極層とが接合しており、
　前記内部電極の引き出し方向について見た場合における前記第１の外部電極層の、前記積層体の前記端面側の先端とは逆側の先端は、前記第２の外部電極層に覆われることなく露出しているとともに、
　前記第１の外部電極層に含まれるＮｉが、前記稜線付近において、前記第２の外部電極層に拡散し、前記第２の外部電極層に含まれるＣｕと固溶しており、
　前記第２の外部電極層が、前記第１の外部電極層を覆う部分の、前記内部電極の引き出し方向の寸法は、前記第１の外部電極層の前記内部電極の引き出し方向の寸法の３％以上５０％以下であること
　を特徴とする積層セラミックコンデンサ。
【請求項２】
　前記Ｎｉの、前記第２の外部電極層への拡散距離は、前記第２の外部電極層が前記第１の外部電極層を覆う部分における前記第２の外部電極層の厚みの１０％以上１００％以下であることを特徴とする請求項１記載の積層セラミックコンデンサ。」
第４　引用文献、引用発明等
１．引用文献１について
　原査定の拒絶の理由に引用された上記引用文献１には、「積層電子部品」について、図面とともに以下の各記載がある（なお、下線は当審で付与した。）。
（１）「【請求項２】 
セラミック層と導体層とを積層し、該導体層により形成される内部電極に導通するよう積層体の端部に外部電極を形成した積層電子部品において、外部電極が表面側のメッキ層を除いて少なくとも２層構造からなり、外部電極の最も下側の第一の導体層に、積層体を形成するセラミックと同種のセラミック材料が含まれている
積層電子部品
【請求項３】 前記請求項１または２において、
外部電極の最も下側の第一の導体層は、積層体の端面を除く端部に形成されている
【請求項４】 前記請求項１〜３の何れかにおいて、
外部電極の最も下側の第一の導体層より外側にある第二の導体層が銅またはその合金からなる
（２）「【００１４】また、
外部電極の最も下側の第一の導体層に、積層体を形成するセラミックと同種のセラミック材料を含ませた場合も、外部電極の第一の導体層に含まれたセラミック材料が外部電極とセラミック層との界面からセラミック層の表面と反応するため、外部電極と積層体との高い密着強度が得られる。さらに、第二の導体層の有する金属固有の特有の延性により、ねばりのある外部電極が形成される。このため、やはり機械的或は熱的な応力により、外部電極の積層体からの剥離やクラック等が生じにくくなる
（３）「【００１７】
【実施例】次ぎに、本
発明の実施例について、積層セラミックコンデンサを製造する場合を例に、具体的に説明する
【００１８】こうして得られた積層体を内部電極が端面に露出するようにしてチップ状に切断し、図３で示すような未焼結の積層体６が得られる。次に、第４図に示すように、この
積層体６の端面を除く端部、すなわち上下面と両側面の両端寄りの部分に導電ペースト２９を塗布する。この導電ペースト２９は、前記セラミックグリーンシート２１、２７、２８に含まれるのとほぼ同じセラミック粉末が添加されている。次に、この積層体を焼成することにより、第一の導体層５ａを有する焼成済みの積層体が得られる。さらに、この第一の導体層５ａの上に、延性の高い例えば銅やその合金粉末を含む導電ペーストを塗布し、焼き付け、第二の導体層５ｂを形成する。この第一の導体層５ｂを形成するための導電ペーストは、その縁が前記第一の導体層５ａの縁よりやや引っ込むように塗布し、焼付ける
（４）「【００２０】図１（ａ）のＡ部を模式的に示したのが、図１（ｂ）である。前記の焼成時に、セラミック積層体７の最も外側のセラミック層９に含まれる金属粉末１が外部電極５の第一の導体層５ａと反応すると共に、同第一の導体層５ａに含まれるセラミック粉末がセラミック積層体７の特に最も外側のセラミック層９と反応する。これにより、外部電極５とセラミック層９との界面で導体及びセラミック組織が半ば一体化し、高い密着強度が得られる。他方、
外側の第二の導体層５ｂには、セラミック粉末が含まれておらず、その金属特有の延性により、粘りのある外部電極５が構成できる
（５）「【００２１】次に、本発明の具体例について説明する。
（実施例１）・・・・（中略）
【００２３】次に、
Ｎｉ粉末に対して２５／７５の割合で前記セラミック粉末を添加した導電ペーストを用意し、この導電ペーストを前記セラミック積層体の端面を除く端部、すなわち上下両面と両側面に
塗布し、乾燥した。その後、この導電ペーストを塗布した積層体を
焼成した。これにより第一の導体層を有する焼成済みのセラミック積層体を得た
【００２４】
次に、導体成分として粒径約１μｍの銅粉末を含む導電ペーストを積層体の端面及び前記第一の導体層の上に塗布し、乾燥した。その後、この導電ペーストを
焼き付けた
積層セラミックコンデンサを得た
　上記（１）ないし（５）から以下のことがいえる。
　・上記引用文献１に記載の「積層電子部品」は、上記（１）の【請求項２】の記載事項、及び図１、図２によれば、セラミック層と導体層とを積層し、該導体層により形成される内部電極８ａ，８ｂに導通するよう積層体７の端部に外部電極５を形成した積層電子部品であって、外部電極５が表面側のメッキ層を除いて第一の導体層５ａと第二の導体層５ｂの２層構造からなり、外部電極の最も下側の第一の導体層５ａに、積層体７を形成するセラミックと同種のセラミック材料が含まれてなる積層電子部品に関するものである。
　・上記（３）、（５）の記載事項によれば、積層電子部品は、実施例では積層セラミックコンデンサである。
　・上記（１）の【請求項３】、（２）〜（５）の記載事項、及び図１、図２によれば、第一の導体層５ａは、Ｎｉ粉末とセラミック粉末を添加した導電ペーストを、積層体７の端面を除く端部、すなわち上下両面と両側面に塗布して焼成することにより得られるものである。
　・上記（１）の【請求項４】、（２）〜（５）の記載事項、及び図１、図２によれば、第二の導体層５ｂは、延性の高いＣｕ粉末を含みセラミック成分を含まない導電ペーストを積層体７の端面及び第一の導体層５ａの上にその縁が第一の導体層５ａの縁よりやや引っ込むように塗布して焼き付けることにより得られるものであり、第二の導体層５ｂの有する金属(Ｃｕ)固有の特有の延性により、ねばりのある外部電極５が形成され、機械的或いは熱的な応力により、外部電極の積層体からの剥離やクラック等が生じにくくしてなるものである。
　以上のことから、上記記載事項及び図面を総合勘案すると、引用文献１には、次の発明（以下、「引用発明１」という。）が記載されている。
「セラミック層と導体層とを積層し、該導体層により形成される内部電極に導通するよう積層体の端部に外部電極を形成した積層セラミックコンデンサであって、
　前記外部電極は、表面側のメッキ層を除いて第一の導体層と第二の導体層の２層構造からなり、
　前記第一の導体層は、Ｎｉ粉末とセラミック粉末を添加した導電ペースト、前記積層体の端面を除く端部、すなわち上下両面と両側面に塗布して焼成してなるものであり、
　前記第二の導体層は、延性の高いＣｕ粉末を含みセラミック成分を含まない導電ペーストを前記積層体の端面及び前記第一の導体層の上にその縁が前記第一の導体層の縁よりやや引っ込むように塗布して焼き付けてなり、当該第二の導体層の有する金属(Ｃｕ)固有の特有の延性により、ねばりのある前記外部電極が形成され、機械的或いは熱的な応力により、前記外部電極の前記積層体からの剥離やクラック等を生じにくくしてなる、積層セラミックコンデンサ。」
２．引用文献２について
　原査定の拒絶の理由に引用された上記引用文献２には、「セラミック電子部品」について、図面とともに以下の各記載がある（なお、下線は当審で付与した。）。
（１）「【００１０】
　以下、本
発明の一実施の形態におけるセラミック電子部品について、具体的にチップサーミスタを例として
説明する
【００１１】
　図１は
本発明の一実施の形態におけるチップサーミスタ
セラミックボディ１１の内層にＰｄからなり、お互いに対向するように内部電極１２が設けられている。セラミックボディ１１の両端部には内部電極１２に電気的に接続された外部電極１３が設けられている
（２）「【００１５】
　以上の構成を実現するために、
外部電極１３は、セラミックボディ１１の両端面１１ｂに設けられた端面電極１５と、このチップサーミスタの実装面となる面１１ａのセラミックボディ１１の両端面１１ｂに沿って設けられた下面電極１４と、端面電極１５と下面電極１４とを覆うように設けられためっき電極層１６とにより構成する
　　　　　　　　・・・・（中　略）・・・・
【００１７】
　
セラミックボディ１１の両端面１１ｂには端面電極１５が設けられており、それぞれの内部電極１２に電気的に接続されている。このチップサーミスタの実装面となるセラミックボディ１１の面１１ａの両端面１１ｂに沿って下面電極１４が設けられており、この下面電極１４はそれぞれの端面電極１５に電気的に接続されている。下面電極１４は内部電極１２と同じ材料を用い、セラミックボディ１１と内部電極１２を同時焼成するときに、同時に焼成して形成している
セラミックボディ１１の側面１１ｃには、端面電極の一部が回りこんだものを除いて実質的に外部電極が形成されていない
（３）「【００２３】
　なお上記実施の形態では、
下面電極１４をセラミックボディ１１の実装面となる面１１ａのみに設けたが、図３のように実装面とは反対側の面にも同じ大きさの下面電極１４を設けても良い
（４）「【００２４】
　次に
本発明のチップサーミスタ
　　　　　　　・・・・（中　略）・・・・
【００２６】
　次にこの
セラミックスラリーを用いてドクターブレード法等により所定厚みのグリーンシートを得る
Ｐｄの内部電極ペーストを充填しグリーンシートに内部電極ペーストを塗布して内部電極１２となる導電体層を形成する
【００２７】
　
次に
内部電極１２となる導電体層を形成したグリーンシート１７ａを所定枚数積層し、その上下に導電体層を形成していないグリーンシート１７ｂを所定枚数重ね、さらにその上下に内部電極を形成するための内部電極ペーストと同じペーストで、下面電極１４となる電極パターンを形成したグリーンシート１７ｃを重ね、これを圧着して積層ブロックを形成する
【００２８】
　次に図４（ａ）の切断線に沿って積層ブロックを切断しチップ化する。さらに
チップの両端面１１ｂに内部電極１２の端部を露出させた後、
焼成を順次行って図４（ｂ）のようなセラミック焼結体のセラミックボディ１１を得る。続いてセラミックボディ１１の両端面１１ｂに、下面電極１４に電気的に接続される程度のＣｕ粉体とガラスフリットを含有した導電ペーストを塗布して
焼付けを行うことにより端面電極１５を形成
【００２９】
　以上のように外部電極１３を形成することにより、
外部電極１３は端面と上下面にのみ形成し、側面には形成しないようにすることができる（但し端面に塗布したときに側面側の端に滲んだものは除く）
　上記（１）ないし（４）から以下のことがいえる。
　・上記引用文献２に記載の「セラミック電子部品」は、上記（１）の記載事項、及び図３によれば、具体的にはチップサーミスタであり、セラミックボディ１１の内層にＰｄからなり、お互いに対向するように設けられた複数の内部電極１２と、セラミックボディ１１の両端部に設けられ、内部電極１２に電気的に接続された外部電極１３とを有する。
　・セラミックボディ１１は、上記（４）の記載事項によれば、内部電極１２となる導電体層を形成したグリーンシート１７ａを所定枚数積層し、その上下に導電体層を形成していないグリーンシート１７ｂを所定枚数重ねてこれを圧着して形成した積層ブロックを焼成して得られるものである。
　・上記（２）、（３）の記載事項、及び図３によれば、外部電極１３は、セラミックボディ１１の両端面１１ｂに設けられ、それぞれの内部電極１２に電気的に接続された端面電極１５と、このチップサーミスタの実装面となる面１１ａと実装面とは反対側の面のセラミックボディ１１の両端面１１ｂに沿って設けられ、それぞれの端面電極１５に電気的に接続された下面電極１４とを含むものである。
　また、上記（４）の記載事項によれば、下面電極１４は内部電極１２と同じ材料、すなわちＰｄからなり、端面電極１５はＣｕ粉体とガラスフリットを含有した導電ペーストをセラミックボディ１１の端面１１ｂに塗布して焼付けてなるものである。
　・上記（２）の段落【００１７】の「セラミックボディ１１の側面１１ｃには、端面電極の一部が回りこんだものを除いて実質的に外部電極が形成されていない。」なる記載、上記（４）の段落【００２９】の「外部電極１３は端面と上下面にのみ形成し、側面には形成しないようにすることができる（但し端面に塗布したときに側面側の端に滲んだものは除く）。」なる記載、及び図３からみて、外部電極１３のうちの端面電極１５は、その一部が滲んで回りこんだものがセラミックボディの主面上において下面電極１４の端面側の先端を含む領域を覆ってなるものであると解することができる。
　以上のことから、特に図３に示されるものに着目し、上記記載事項及び図面を総合勘案すると、引用文献２には、次の発明（以下、「引用発明２」という。）が記載されている。
「内部電極となるＰｄからなる導電体層を形成したグリーンシートを所定枚数積層し、その上下に導電体層を形成していないグリーンシート１７ｂを所定枚数重ねてこれを圧着して形成した積層ブロックを焼成して得られたセラミックボディの内層に、お互いに対向するように設けられた複数の前記内部電極と、前記内部電極に電気的に接続された外部電極とを有するチップサーミスタであって、
　前記外部電極は、前記セラミックボディの両端面に設けられ、それぞれの前記内部電極に電気的に接続された端面電極と、当該チップサーミスタの実装面となる面と実装面とは反対側の面の前記セラミックボディの両端面に沿って設けられ、それぞれの前記端面電極に電気的に接続された下面電極とを含み、
　前記下面電極は、内部電極１２と同じ材料であるＰｄからなり、
　前記端面電極は、Ｃｕ粉体とガラスフリットを含有した導電ペーストを前記セラミックボディの端面に塗布して焼付けてなるものであり、塗布したときにその一部が滲んで回りこんで前記セラミックボディの主面上において前記下面電極の端面側の先端を含む領域を覆ってなる、チップサーミスタ。」
第５　対比・判断
１．引用文献１を主引例とする場合について
（１）対比
　本願発明１と引用発明１とを対比する。
ア．引用発明１における「セラミック層」、導体層により形成される「内部電極」は、それぞれ本願発明１でいう「誘電体層」、「内部電極」に相当し、当該セラミック層と導体層（内部電極）とを積層してなる「積層体」が、本願発明１でいう「積層体」に相当する。また、引用発明１における内部電極に導通するよう積層体の端部に形成した「外部電極」は、本願発明１でいう「外部電極」に相当する。そして、引用発明１における「積層セラミックコンデンサ」は、本願発明１でいう「積層セラミックコンデンサ」に相当するものである。
　よって、本願発明１と引用発明１とは、「内部電極と誘電体層が積層された積層体と、前記内部電極と接続するように前記積層体の表面に形成された外部電極とを備えた積層セラミックコンデンサ」である点で一致する。　
イ．引用発明１における外部電極は２層構造からなるものであり、そのうちの「第一の導体層」は、導電ペーストを積層体の上下両面、すなわち両主面と両側面に塗布することから、少なくとも積層体の主面に形成されてなるものであり、本願発明１でいう「第１の外部電極層」に相当するものである。また、「第一の導体層」は、Ｎｉ粉末とセラミック粉末を添加した導電ペーストを焼成してなるものであるから、Ｎｉを含むものである。
　よって、本願発明１と引用発明１とは、「前記外部電極は、前記積層体の主面に形成され、Ｎｉを含む第１の外部電極層と」を備えるものである点で一致する。
ウ．引用発明１における外部電極のうちの「第二の導体層」は、導電ペーストを積層体の端面及び第一の導体層の上にその縁が当該第一の導体層の縁よりやや引っ込むように塗布して焼き付けてなるものであることから、内部電極が引き出された端面と、第一の導体層の端面側の先端を含む領域とを覆い、内部電極と導通するとともに、積層体の主面上に位置する領域であって、当該主面と端面によって形成される稜線付近の領域において第一の導体層と接合するものであるといえ、本願発明１でいう「第２の外部電極層」に対応するものである。また、「第二の導体層」は、延性の高いＣｕ粉末を含みセラミック成分を含まない導電ペーストを焼き付けてなるものであるから、Ｃｕを含むものである。さらに、「第二の導体層」は、かかる導電ペーストをＮｉを含む第一の導体層の上にその縁が当該第一の導体層の縁よりやや引っ込むように塗布して焼き付けてなるものであることから、内部電極の引き出し方向について見た場合における第一の導体層の、積層体の端面側の先端とは逆側の先端は、当該第二の導体層に覆われることなく露出していることは明らかであるとともに、焼き付け時に、第一の導体層に含まれるＮｉが第二の導体層との接合領域において第二の導体層に拡散し、第二の導体層に含まれるＣｕと多少なりとも固溶していると解される。
　よって、本願発明１と引用発明１とは、「前記積層体の前記内部電極が引き出された端面と、前記第１の外部電極層の前記端面側の先端を含む領域とを覆い、前記第１の外部電極層と接合するとともに、前記内部電極と導通するように形成された、Ｃｕを含む第２の外部電極層と」を備えるものである点で共通し、さらに、「前記第１の外部電極層の、前記積層体の前記主面上に位置する領域であって、前記主面と前記端面によって形成される稜線付近の領域において、前記第１の外部電極層と前記第２の外部電極層とが接合しており、前記内部電極の引き出し方向について見た場合における前記第１の外部電極層の、前記積層体の前記端面側の先端とは逆側の先端は、前記第２の外部電極層に覆われることなく露出しているとともに、前記第１の外部電極層に含まれるＮｉが、前記稜線付近において、前記第２の外部電極層に拡散し、前記第２の外部電極層に含まれるＣｕと固溶している」点で一致するということができる。
　ただし、第２の外部電極層について、本願発明１では、Ｃｕに加えて「ガラス成分」を含む旨特定するのに対し、引用発明１では、そのような特定を有していない点で相違する。
エ．そして、第２の外部電極層が、第１の外部電極層を覆う部分の、内部電極の引き出し方向の寸法について、本願発明１では、第１の外部電極層の内部電極の引き出し方向の寸法の「３％以上５０％以下」である旨特定するのに対し、引用発明１では、その縁が第一の導体層の縁よりやや引っ込むように設けられてなるものである点で相違している。
　上記ア．ないしエ．によれば、本願発明１と引用発明１とは、
「内部電極と誘電体層が積層された積層体と、前記内部電極と接続するように前記積層体の表面に形成された外部電極とを備えた積層セラミックコンデンサにおいて、
　前記外部電極は、前記積層体の主面に形成され、Ｎｉを含む第１の外部電極層と、
　前記積層体の前記内部電極が引き出された端面と、前記第１の外部電極層の前記端面側の先端を含む領域とを覆い、前記第１の外部電極層と接合するとともに、前記内部電極と導通するように形成された、Ｃｕを含む第２の外部電極層と
　を備え、
　前記第１の外部電極層の、前記積層体の前記主面上に位置する領域であって、前記主面と前記端面によって形成される稜線付近の領域において、前記第１の外部電極層と前記第２の外部電極層とが接合しており、
　前記内部電極の引き出し方向について見た場合における前記第１の外部電極層の、前記積層体の前記端面側の先端とは逆側の先端は、前記第２の外部電極層に覆われることなく露出しているとともに、
　前記第１の外部電極層に含まれるＮｉが、前記稜線付近において、前記第２の外部電極層に拡散し、前記第２の外部電極層に含まれるＣｕと固溶していること
　を特徴とする積層セラミックコンデンサ。」
である点で一致し、以下の点で相違する。
［相違点１］
　第２の外部電極層について、本願発明１では、Ｃｕに加えて「ガラス成分」を含む旨特定するのに対し、引用発明１では、そのような特定を有していない点。
［相違点２］
　第２の外部電極層が、第１の外部電極層を覆う部分の、内部電極の引き出し方向の寸法について、本願発明１では、第１の外部電極層の内部電極の引き出し方向の寸法の「３％以上５０％以下」である旨特定するのに対し、引用発明１では、その縁が第一の導体層の縁よりやや引っ込むように設けられてなるものである点。
（２）相違点についての判断
　まず、上記［相違点２］について検討する。
　引用発明１における「第二の導体層」は、その縁が第一の導体層の縁よりやや引っ込むように設けられてなるものであるところ、引用文献１の図２を見ても、第一の導体層の大部分を覆っており、その覆う部分の寸法は、第一の導体層の内部電極の引き出し方向の寸法の「５０％」以下と特定することはできない。そして、引用発明１は、当該第二の導体層の有する金属(Ｃｕ)固有の特有の延性により、ねばりのある前記外部電極が形成され、機械的或いは熱的な応力により、前記外部電極の前記積層体からの剥離やクラック等を生じにくくしてなるものであることから、第二の導体層が第一の導体層を覆う部分の寸法は、極力大きい方が望ましいものと解され、これをあえて小さくして第一の導体層の内部電極の引き出し方向の寸法の「５０％」以下とし、本願発明１で特定する範囲を満たす寸法とすべき動機付けを見出すことはできない。
　よって、引用文献１からは、上記相違点２に係る構成を導き出すことはできない。
（３）小括
　したがって、上記［相違点１］について判断するまでもなく、請求項１に係る発明は、引用発明１に基づいて当業者が容易に発明をすることができたものとすることはできない。
　そして、請求項２に係る発明は、請求項１に従属する請求項であって相違点２に係る発明特定事項を備えるものであるから、同様の理由により、引用発明１に基づいて当業者が容易に発明をすることができたとはいえない。
２．引用文献２を主引例とする場合について
（１）対比
　本願発明１と引用発明２とを対比する。
ア．引用発明２における「グリーンシート」を焼成してなるもの、「内部電極」は、それぞれ本願発明１でいう「誘電体層」、「内部電極」に相当し、積層ブロックを焼成して得られた「セラミックボディ」が、本願発明１でいう「積層体」に相当する。また、引用発明２におけるセラミックボディの両端部に設けられ、内部電極に電気的に接続された「外部電極」が、本願発明１でいう「外部電極」に相当する。
　そして、引用発明２における「チップサーミスタ」と本願発明１でいう「積層セラミックコンデンサ」とは、積層セラミック電子部品である点で共通するものである。
　よって、本願発明１と引用発明２とは、「内部電極と誘電体層が積層された積層体と、前記内部電極と接続するように前記積層体の表面に形成された外部電極とを備えた積層セラミック電子部品」である点で共通する。
　ただし、積層セラミック電子部品が、本願発明１では「積層セラミックコンデンサ」であるのに対し、引用発明２では「チップサーミスタ」である点で相違する。　
イ．引用発明１における外部電極は端面電極と下面電極とを含むものであり、そのうちの「下面電極」は、チップサーミスタの実装面となる面と実装面とは反対側の面、すなわち両主面の前記セラミックボディの両端面に沿って設けられてなるものであり、本願発明１でいう「第１の外部電極層」に対応するものである。また、「下面電極」はＰｄからなるものであり、Ｎｉを含む本願発明１の「第１の外部電極層」とは所定の金属を含むものである点で共通するといえる。
　よって、本願発明１と引用発明１とは、「前記外部電極は、前記積層体の主面に形成され、所定の金属を含む第１の外部電極層と」を備えるものである点で共通する。
　ただし、所定の金属が、本願発明１では「Ｎｉ」と特定するのに対し、引用発明２では「Ｐｄ」である点で相違する。
ウ．引用発明１における外部電極のうちの「端面電極」は、導電ペーストをセラミックボディの端面に塗布して焼付けてなり、塗布したときにその一部が滲んで回りこんでセラミックボディの主面上において下面電極の端面側の先端を含む領域を覆ってなるものであることから、内部電極が引き出された端面と、下面電極の端面側の先端を含む領域とを覆い、内部電極と導通するとともに、セラミックボディの主面上に位置する領域であって、当該主面と端面によって形成される稜線付近の領域において下面電極と接合するものであるといえ、本願発明１でいう「第２の外部電極層」に相当する。また、「端面電極」は、Ｃｕ粉体とガラスフリットを含有した導電ペーストを焼付けてなるものであるから、ガラス成分とＣｕとを含むものである。さらに、「端面電極」は、かかる導電ペーストをセラミックボディの端面に塗布したときにその一部が滲んで回りこんでセラミックボディの主面上において下面電極の端面側の先端を含む領域を覆ってなるものであることから、内部電極の引き出し方向について見た場合における下面電極の、セラミックボディの端面側の先端とは逆側の先端は、当該端面電極に覆われることなく露出していることは明らかである。ただし、「端面電極」となる導電ペーストの焼付け時に、下面電極に含まれるＰｄが当該端面電極との接合領域において端面電極に拡散し、端面電極に含まれるＣｕと固溶しているのか否かは不明である。
　よって、本願発明１と引用発明２とは、「前記積層体の前記内部電極が引き出された端面と、前記第１の外部電極層の前記端面側の先端を含む領域とを覆い、前記第１の外部電極層と接合するとともに、前記内部電極と導通するように形成された、ガラス成分とＣｕを含む第２の外部電極層と」を備えるものである点で一致し、さらに、「前記第１の外部電極層の、前記積層体の前記主面上に位置する領域であって、前記主面と前記端面によって形成される稜線付近の領域において、前記第１の外部電極層と前記第２の外部電極層とが接合しており、前記内部電極の引き出し方向について見た場合における前記第１の外部電極層の、前記積層体の前記端面側の先端とは逆側の先端は、前記第２の外部電極層に覆われることなく露出している」点で一致する。
　そして、本願発明１では、「前記第１の外部電極層に含まれるＮｉが、前記稜線付近において、前記第２の外部電極層に拡散し、前記第２の外部電極層に含まれるＣｕと固溶している」旨特定するのに対し、引用発明２では、そのような特定を有していない点で相違するといえる。
エ．そして、第２の外部電極層が、第１の外部電極層を覆う部分の、内部電極の引き出し方向の寸法について、本願発明１では、第１の外部電極層の内部電極の引き出し方向の寸法の「３％以上５０％以下」である旨特定するのに対し、引用発明２では、導電ペーストをセラミックボディの端面に塗布したときにその一部が滲んで回りこんで下面電極の端面側の先端を含む領域を覆ってなるものである点で相違している。
　上記ア．ないしエ．によれば、本願発明１と引用発明２とは、
「内部電極と誘電体層が積層された積層体と、前記内部電極と接続するように前記積層体の表面に形成された外部電極とを備えた積層セラミック電子部品において、
　前記外部電極は、前記積層体の主面に形成され、所定の金属を含む第１の外部電極層と、
　前記積層体の前記内部電極が引き出された端面と、前記第１の外部電極層の前記端面側の先端を含む領域とを覆い、前記第１の外部電極層と接合するとともに、前記内部電極と導通するように形成された、ガラス成分とＣｕとを含む第２の外部電極層と
　を備え、
　前記第１の外部電極層の、前記積層体の前記主面上に位置する領域であって、前記主面と前記端面によって形成される稜線付近の領域において、前記第１の外部電極層と前記第２の外部電極層とが接合しており、
　前記内部電極の引き出し方向について見た場合における前記第１の外部電極層の、前記積層体の前記端面側の先端とは逆側の先端は、前記第２の外部電極層に覆われることなく露出しているとともに、
　前記第２の外部電極層が、前記第１の外部電極層を覆う部分の、前記内部電極の引き出し方向の寸法は、前記第１の外部電極層の前記内部電極の引き出し方向の寸法の３％以上５０％以下であること
　を特徴とする積層セラミック電子部品。」
である点で一致し、以下の点で相違する。
［相違点３］
　積層セラミック電子部品が、本願発明１では「積層セラミックコンデンサ」であるのに対し、引用発明２では「チップサーミスタ」である点。
［相違点４］
　本願発明１では、第１の外部電極層が含む所定の金属が「Ｎｉ」であると特定し、さらに、「前記第１の外部電極層に含まれるＮｉが、前記稜線付近において、前記第２の外部電極層に拡散し、前記第２の外部電極層に含まれるＣｕと固溶している」旨特定するのに対し、引用発明２では、下面電極が含む所定の金属が「Ｐｄ」であり、端面電極に含まれるＣｕと固溶しているか否か不明である点。
［相違点５］
　第２の外部電極層が、第１の外部電極層を覆う部分の、内部電極の引き出し方向の寸法について、本願発明１では、第１の外部電極層の内部電極の引き出し方向の寸法の「３％以上５０％以下」である旨特定するのに対し、引用発明２では、導電ペーストをセラミックボディの端面に塗布したときにその一部が滲んで回りこんで下面電極の端面側の先端を含む領域を覆ってなるものである点。
（２）相違点についての判断
　まず、上記［相違点５］について検討する。
　引用発明２における「端面電極」は、導電ペーストをセラミックボディの端面に塗布したときにその一部が滲んで回りこんでセラミックボディの主面上において下面電極の端面側の先端を含む領域を覆ってなるものにすぎず、当該端面電極は、意図的に（積極的に）セラミックボディの主面上において下面電極の端面側の先端を含む領域についても覆うように設け、主面上における接合部において下面電極に含まれる所定の金属と端面電極に含まれる所定の金属との合金の層（相互拡散層）を形成しようにとしたものではなく、これをあえて下面電極の内部電極の引き出し方向の寸法の「３％」以上とし、本願発明１で特定する範囲を満たす寸法とすべき動機付けは見出し難い。
　よって、引用文献２からは、上記相違点５に係る構成を導き出すことはできない。
　また、周知技術を示す文献として引用された引用文献３（段落【００３３】、【００３７】〜【００４４】、【００９６】）、引用文献４（段落【００２４】）、及び引用文献５（段落【００１６】）には、積層セラミックコンデンサにおいて、内部電極にＮｉを用いることや、互いに接する層にそれぞれ含まれるＮｉとＣｕの拡散による合金化で層同士の密着性が向上することが記載されているといえるが、上記相違点５に係る構成については記載も示唆もない。
（３）小括
　したがって、上記［相違点３］及び［相違点４］について判断するまでもなく、請求項１に係る発明は、引用発明２、及び引用文献３ないし５に記載の技術事項に基づいて当業者が容易に発明をすることができたものとすることはできない。
　そして、請求項２に係る発明は、請求項１に従属する請求項であって相違点５に係る発明特定事項を備えるものであるから、同様の理由により、引用発明１、及び引用文献３ないし５に記載の技術事項に基づいて当業者が容易に発明をすることができたとはいえない。
（２）本願発明２について
　請求項２は、請求項１に従属する請求項であり、相違点３に係る発明特定事項を備えるものであるから、本願発明１と同じ理由により、引用発明２、及び引用文献３ないし５に記載の技術事項に基づいて当業者が容易に発明をすることができたとはいえない。
第６　むすび
　以上のとおり、本願の請求項１及び２に係る発明は、引用文献１に記載された発明に基づいて当業者が容易に発明をすることができたものとすることできず、また、引用文献２に記載された発明、及び引用文献３ないし５に記載の技術事項に基づいて当業者が容易に発明をすることができたものとすることもできないから、原査定の理由によっては、本願を拒絶することはできない。
　また、他に本願を拒絶すべき理由を発見しない。
　よって、結論のとおり審決する。